【手続補正書】
【提出日】平成19年9月27日(2007.9.27)
【手続補正１】
【補正対象書類名】明細書
【補正対象項目名】特許請求の範囲
【補正方法】変更
【補正の内容】
【特許請求の範囲】
【請求項１】  複数の時間スロットを定義する無線通信システム内で動作する無線トランシーバの動作方法であって：
トランシーバ使用者の快適さに直接影響を与える温度を監視するステップと；
前記トランシーバから送信するために割り当てられるスロット数を監視された温度に応じて制御するステップと、を含む動作方法。
【請求項２】  複数の時間スロットを定義する無線通信システム内で動作する無線トランシーバの動作方法であって：
トランシーバ使用者の快適さに直接影響を与える温度を監視するステップと；
前記トランシーバで受信するために割り当てられるスロット数を監視された温度に応じて制御するステップと、を含む動作方法。
【請求項３】  請求項１または請求項２記載の動作方法において、トランシーバは移動通信装置の一部を形成し、前記温度が装置の格納容器の温度である、動作方法。
【請求項４】  請求項１または請求項２記載の動作方法において、トランシーバは移動通信装置の一部を形成し、前記温度が装置の表示装置の温度である、動作方法。
【請求項５】  請求項１または請求項２記載の動作方法において、トランシーバは移動通信装置の一部を形成し、前記温度が装置の電池の温度である、動作方法。
【請求項６】  請求項１または請求項２記載の動作方法において、割り当てられるスロットの数が無線通信システムへメッセージを送ることで制御される、動作方法。
【請求項７】  複数の時間スロットを定義する無線通信システム内で動作可能な無線トランシーバを含む無線通信装置であって、
前記装置の使用者の快適さに直接影響を与える温度を監視するための温度センサと；
前記トランシーバから送信するために割り当てられるスロット数を、監視された温度に応じて制御するための制御装置とを含む、無線通信装置。
【請求項８】  複数の時間スロットを定義する無線通信システム内で動作可能な無線トランシーバを含む無線通信装置であって、
前記装置の使用者の快適さに直接影響を与える温度を監視するための温度センサと；
前記トランシーバから受信するために割り当てられるスロット数を、監視された温度に応じて制御するための制御装置とを含む、無線通信装置。
【請求項９】  複数の時間スロットを定義する無線通信システム内で動作する無線トランシーバの動作方法であって：
前記トランシーバ内の温度を監視するステップと；
前記トランシーバの内部動作を測定された温度に応じて制御するステップと；
前記トランシーバから送信するために割り当てられるスロット数を、監視されている同じ温度に応じて制御するステップとを含む、動作方法。
【請求項１０】  複数の時間スロットを定義する無線通信システム内で動作する無線トランシーバの動作方法であって：
前記トランシーバ内の温度を監視するステップと；
前記トランシーバの内部動作を測定された温度に応じて制御するステップと；
前記トランシーバ内で受信するために割り当てられるスロット数を、監視されている同じ温度に応じて制御するステップとを含む、動作方法。
【請求項１１】  請求項９または請求項１０記載の動作方法において、前記トランシーバが移動通信装置の一部を形成し、前記温度が装置内の水晶発振器の温度であり、前記温度が水晶発振器性能の変動を補償するために使用されている、動作方法。
【請求項１２】  請求項９または請求項１０記載の動作方法において、前記トランシーバが移動通信装置の一部を形成し、前記温度が装置内の表示装置の温度であり、前記温度が前記表示装置を制御するために使用されている、動作方法。
【請求項１３】  複数の時間スロットを定義する無線通信システム内で動作可能な無線トランシーバを含む無線通信装置であって、
前記装置の使用者の快適さに直接影響を与える温度を監視するための温度センサと；
前記装置内の１つの温度を監視するための単一の温度センサと；
前記装置の内部動作と前記トランシーバから送信するために割り当てられるスロット数を、同じ監視された温度に応じて制御するための少なくとも１つの制御装置とを含む、無線通信装置。
【請求項１４】  複数の時間スロットを定義する無線通信システム内で動作可能な無線トランシーバを含む無線通信装置であって、
前記装置の使用者の快適さに直接影響を与える温度を監視するための温度センサと；
前記装置内の１つの温度を監視するための単一の温度センサと；
前記装置の内部動作と前記トランシーバ内で受信するために割り当てられるスロット数を、監視された同じ温度に応じて制御するための少なくとも１つの制御装置とを含む、無線通信装置。
【請求項１５】  複数の時間スロットを定義する無線通信システム内で動作する無線トランシーバの動作方法であって：
前記トランシーバの電池容量を監視するステップと；
前記トランシーバから送信するために割り当てられるスロット数を、監視された電池容量に応じて制御するステップとを含む、動作方法。
【請求項１６】  複数の時間スロットを定義する無線通信システム内で動作する無線トランシーバの動作方法であって：
前記トランシーバの電池容量を監視するステップと；
前記トランシーバ内で受信するために割り当てられるスロット数を、監視された電池容量に応じて制御するステップとを含む、動作方法。
【請求項１７】  請求項１５または請求項１６記載の動作方法において、電池容量が直接測定される、動作方法。
【請求項１８】  請求項１５または請求項１６記載の動作方法において、電池容量が間接的に推定される、動作方法。
【請求項１９】  請求項１８記載の動作方法において、電池容量が過去の使用状況の測定値に基づいて推定される、動作方法。
【請求項２０】  請求項１８記載の動作方法において、電池容量がその測定された温度に基づいて推定される、動作方法。
【請求項２１】  請求項１９記載の動作方法において、過去の使用状況の測定値が、トランシーバがデータを送信した時間スロットの数である、動作方法。
【請求項２２】  請求項１９記載の動作方法において、過去の使用状況の測定値が、トランシーバの少なくとも一部の過去の電流消費量である、動作方法。
【請求項２３】  複数の時間スロットを定義する無線通信システム内で動作可能な無線トランシーバを含む無線通信装置であって：
前記装置の電池容量を決定するための手段と；
前記トランシーバから送信するために割り当てられるスロット数を、決定された電池容量に応じて制御するための少なくとも１つの制御装置とを含む、無線通信装置。
【請求項２４】  複数の時間スロットを定義する無線通信システム内で動作可能な無線トランシーバを含む無線通信装置であって：
前記装置の電池容量を決定するための手段と；
前記トランシーバ内で受信するために割り当てられるスロット数を、決定された電池容量に応じて制御するための少なくとも１つの制御装置とを含む、無線通信装置。
【請求項２５】  フレーム毎に複数の時間スロットを定義する無線通信システム内で動作可能な無線トランシーバの動作方法であって：
無線トランシーバの動作モードに基づいて、無線トランシーバから送信するためにフレーム毎に１つまたは複数の時間スロットを割り当てることを含む、動作方法。
【請求項２６】  フレーム毎に複数の時間スロットを定義する無線通信システム内で動作可能な無線トランシーバの動作方法であって：
無線トランシーバの動作モードに基づいて、無線トランシーバ内で受信するためにフレーム毎に１つまたは複数の時間スロットを割り当てることを含む、動作方法。
【請求項２７】  請求項２５または請求項２６記載の動作方法において、トランシーバが拡声器で動作している場合に、前記送信用に割り当てられるスロット数に上限を設定する、動作方法。
【請求項２８】  請求項２５または請求項２６記載の動作方法において、トランシーバが無線周波数シンプレックスシステム内で動作している場合に、前記送信用に割り当てられるスロット数に上限を設定する、動作方法。
【請求項２９】  請求項２５または請求項２６記載の動作方法であって、前記トランシーバの動作モードを前記トランシーバ上に配置されている近接スイッチにより検出することを含む、動作方法。
【請求項３０】  請求項２９記載の動作方法において、前記近接スイッチが前記トランシーバが手持ちモードで動作しているか、または、ハンズフリーモードで動作しているかを検出する、動作方法。
【請求項３１】  請求項２５または請求項２６記載の動作方法において、トランシーバが高電力で動作している場合に、前記送信用に割り当てられるスロット数に上限を設定する、動作方法。